(57)【要約】【課題】  特許文書を、検索キーワードを含むか否かによる単純羅列でない、検索キーワードとの類似度によって整列することで、検索サービスのユーザがより迅速且つ簡便に所望の特許文書を検索できるようにする。【解決手段】類似度を適用して特許文書を検索する方法及びそのシステムが開示される。類似度を適用して特許文書を検索する方法は、前記サービスのユーザから一つ以上の検索キーワードが入力される段階；前記検索キーワードを用いてデータベースに予め保存された特許文書を検索する段階；及び、前記検索キーワードの入力により検索された前記特許文書に対し、前記検索キーワードの前記文書での出現頻度、前記検索キーワード間の近接度及び前記検索キーワード間の語順度のうち何れか一つ以上を測定することにより、前記検索キーワードとの類似度を評価する段階からなる。【選択図】  図３
2009515249.tif 000002
【特許請求の範囲】
【請求項１】
特許公報の内容を含む特許文書を検索するサービス提供方法において、
（ａ）前記サービスのユーザから一つ以上の検索キーワードが入力される段階；
（ｂ）前記検索キーワードを用いてデータベースに予め保存された特許文書を検索する段階；及び、
（ｃ）前記検索キーワードの入力により検索された前記特許文書に対し、前記検索キーワードの前記文書での出現頻度、前記検索キーワード間の近接度及び前記検索キーワード間の語順度のうち何れか一つ以上を測定することにより、前記検索キーワードとの類似度を評価する段階を含むことを特徴とする、類似度を適用して特許文書検索サービスを提供する方法。
【請求項２】
前記出現頻度は、前記出現頻度に対する別途の加重値を適用することにより測定されることを特徴とする、請求項１に記載の類似度を適用して特許文書検索サービスを提供する方法。
【請求項３】
前記出現頻度に対する前記別途の加重値は、入力された前記検索キーワード自体のキーワード加重値、前記特許文書の欄別加重値及び前記検索キーワードが発見された前記特許文書の文章数別加重値のうち何れか一つ以上を含むことを特徴とする、請求項２に記載の類似度を適用して特許文書検索サービスを提供する方法。
【請求項４】
前記欄別加重値は、前記特許文書内で、発明の名称、要約及び代表請求項のうち二つ以上の欄に対する加重値であることを特徴とする、請求項３に記載の類似度を適用して特許文書検索サービスを提供する方法。
【請求項５】
前記出現頻度に対する前記別途の加重値の設定値は、前記ユーザの選択により設定されることを特徴とする、請求項２に記載の類似度を適用して特許文書検索サービスを提供する方法。
【請求項６】
前記近接度は、前記検索キーワードからなるキーワード・ペアの相互間の加重値を示すキーワード・ペア加重値及び前記キーワード・ペアの各キーワードの相互間の近接度を示す近接度別加重値のうち何れか一つ以上を適用して測定されることを特徴とする、請求項１に記載の類似度を適用して特許文書検索サービスを提供する方法。
【請求項７】
前記近接度別加重値は、前記近接度を前記特許文書の文単位で測定することを特徴とする、請求項６に記載の類似度を適用して特許文書検索サービスを提供する方法。
【請求項８】
前記キーワード・ペア加重値及び前記近接度別加重値の設定値は、前記ユーザの選択により設定されることを特徴とする、請求項６に記載の類似度を適用して特許文書検索サービスを提供する方法。
【請求項９】
前記語順度は、前記検索キーワードからなるキーワード・ペア相互間の加重値を示す語順キーワード・ペア加重値及び前記キーワード・ペアの各キーワードの相互間の語順形態による語順度別加重値のうち何れか一つ以上を適用して測定されることを特徴とする、請求項１に記載の類似度を適用して特許文書検索サービスを提供する方法。
【請求項１０】
前記語順キーワード・ペア加重値及び前記語順度別加重値の設定値は、前記ユーザの選択により設定されることを特徴とする、請求項９に記載の類似度を適用して特許文書検索サービスを提供する方法。
【請求項１１】
前記出現頻度、前記近接度及び前記語順度は、前記ユーザの選択により測定が設定又は解除されることを特徴とする、請求項１に記載の類似度を適用して特許文書検索サービスを提供する方法。
【請求項１２】
前記類似度は、前記出現頻度、前記近接度及び前記語順度相互間の加重値を示す類似度評価加重値を適用することにより評価されることを特徴とする、 請求項１に記載の類似度を適用して特許文書検索サービスを提供する方法。
【請求項１３】
前記類似度評価加重値の設定値は、前記ユーザの選択により設定されることを特徴とする、請求項１２に記載の類似度を適用して特許文書検索サービスを提供する方法。
【請求項１４】
前記検索キーワードは、前記検索キーワードの同意語を含むことを特徴とする、請求項１に記載の類似度を適用して特許文書検索サービスを提供する方法。
【請求項１５】
前記段階（ａ）において、前記検索キーワードは前記検索キーワードの組み合わせを構成して入力され、前記検索キーワードを組み合わせるための組み合わせ式がアイコンを用いて前記ユーザに表示され、前記ユーザの選択により前記アイコンが設定されることを特徴とする、請求項１に記載の類似度を適用して特許文書検索サービスを提供する方法。
【請求項１６】
前記段階（ｂ）において、前記データベースに予め保存された特許文書はＭＤＢファイル形式として保存されることを特徴とする、請求項１に記載の類似度を適用して特許文書検索サービスを提供する方法。
【請求項１７】
前記段階（ｃ）において、前記類似度の評価結果又は前記類似度を評価するために用いられるデータは、前記ユーザの選択により保存／呼び出し又は編集されることを特徴とする、請求項１に記載の類似度を適用して特許文書検索サービスを提供する方法。
【請求項１８】
前記類似度を評価するために用いられるデータは、前記検索キーワードと、前記検索キーワードからなるキーワード・ペアと、前記類似度評価に適用される加重値についての情報とを含むことを特徴とする、請求項１７に記載の類似度を適用して特許文書検索サービスを提供する方法。
【請求項１９】
（ｄ）前記出現頻度、前記近接度、前記語順度及び前記類似度のうち何れか一つの項目の順序により、前記特許文書を整列する段階をさらに含むことを特徴とする、請求項１に記載の類似度を適用して特許文書検索サービスを提供する方法。
【請求項２０】
前記段階（ｄ）において、前記特許文書を、前記ユーザが前記特許文書を識別するようにするための識別情報、または、測定された前記出現頻度、前記近接度、前記語順度及び前記類似度のうち何れか一つ以上の測定値と共に整列することを特徴とする、請求項１９に記載の類似度を適用して特許文書検索サービスを提供する方法。
【請求項２１】
前記識別情報は、発明の名称、出願番号、出願日、登録状況、出願人のうち何れか一つ以上を含むことを特徴とする、請求項２０に記載の類似度を適用して特許文書検索サービスを提供する方法。
【請求項２２】
（ｅ）前記ユーザの選択により整列された前記特許文書の詳細情報を提供する段階をさらに含むことを特徴とする、請求項１９に記載の類似度を適用して特許文書検索サービスを提供する方法。
【請求項２３】
前記詳細情報は、発明の名称、要約、発明の詳細な説明、代表請求項、図面のうち何れか一つ以上を含むことを特徴とする、請求項２２に記載の類似度を適用して特許文書検索サービスを提供する方法。
【請求項２４】
一般文書を検索するサービス提供方法において、
（ａ）前記サービスのユーザから一つ以上の検索キーワードが入力される段階；
（ｂ）前記検索キーワードを用いてデータベースに予め保存された一般文書を検索する段階；
（ｃ）前記検索キーワードの入力により検索された前記一般文書に対し、前記検索キーワードの前記文書での出現頻度、前記検索キーワード間の近接度及び前記検索キーワード間の語順度のうち何れか一つ以上を測定することにより、前記検索キーワードとの類似度を評価する段階；及び、
（ｄ）前記出現頻度、前記近接度、前記語順度及び前記類似度のうち何れか一つの項目の順序により、前記一般文書を整列する段階を含むことを特徴とする、類似度を適用して一般文書検索サービスを提供する方法。
【請求項２５】
前記段階（ｃ）において、前記類似度は、前記出現頻度、前記近接度及び前記後純度のうち何れか一つ以上の項目に対する細部加重値を適用することにより評価されることを特徴とする、請求項２４に記載の類似度を適用して一般文書検索サービスを提供する方法。
【請求項２６】
前記細部加重値は、
前記出現頻度に対してはキーワード加重値、欄別加重値及び文章数別加重値のうち何れか一つ以上であり、
前記近接度に対してはキーワード・ペア加重値及び近接度加重値のうち何れか一つ以上であり、
前記語順度に対しては語順キーワード・ペア加重値及び語順度別加重値のうち何れか一つ以上であることを特徴とする、請求項２５に記載の類似度を適用して一般文書検索サービスを提供する方法。
【請求項２７】
前記細部加重値の設定値は、前記ユーザの選択により設定されることを特徴とする、請求項２５に記載の類似度を適用して一般文書検索サービスを提供する方法。
【請求項２８】
前記段階（ｃ）において、前記類似度は、前記出現頻度、前記近接度及び前記語順度相互間の加重値を示す類似度評価加重値を適用することにより評価されることを特徴とする、請求項２４に記載の類似度を適用して一般文書検索サービスを提供する方法。
【請求項２９】
前記類似度評価加重値の設定値は、前記ユーザの選択により設定されることを特徴とする、請求項２８に記載の類似度を適用して一般文書検索サービスを提供する方法。
【請求項３０】
文書を検索するサービス提供システムにおいて、
前記サービスのユーザにより一つ以上の検索キーワードが入力されるキーワード入力部；
前記文書の文書データを保存するデータベース部；
前記検索キーワードにより前記データベース部に予め保存された前記文書を検索する文書検索部；及び、
前記文書検索部により検索された前記文書に対し、前記検索キーワードの前記文書での出現頻度、前記検索キーワード間の近接度及び前記検索キーワード間の語順度のうち何れか一つ以上を測定することにより、前記検索キーワードとの類似度を評価する類似度評価部を含むことを特徴とする、類似度を適用して文書検索サービスを提供するシステム。
【請求項３１】
前記キーワード入力部は前記検索キーワードを前記検索キーワードの組み合わせとして入力するよう構成され、前記検索キーワードを組み合わせるための組み合わせ式はアイコンを用いて前記ユーザに表示され、前記アイコンは前記ユーザの選択により設定されることを特徴とする、請求項３０に記載の類似度を適用して文書検索サービスを提供するシステム。
【請求項３２】
前記類似度評価部は、前記出現頻度、前記近接度及び前記語順度のうち何れか一つ以上の項目に対する細部加重値を適用することにより、前記類似度を評価することを特徴とする、請求項３０に記載の類似度を適用して文書検索サービスを提供するシステム。
【請求項３３】
前記細部加重値は、前記出現頻度に対してはキーワード加重値、欄別加重値及び文章数別加重値のうち何れか一つ以上であり、前記近接度に対してはキーワード・ペア加重値及び近接度別加重値のうち何れか一つ以上であり、前記語順度に対しては語順キーワード・ペア加重値及び語順度別加重値のうち何れか一つ以上であることを特徴とする、請求項３２に記載の類似度を適用して文書検索サービスを提供するシステム。
【請求項３４】
前記細部加重値の設定値は、前記ユーザの選択により設定されることを特徴とする、請求項３２に記載の類似度を適用して文書検索サービスを提供するシステム。
【請求項３５】
前記類似度評価部は、前記出現頻度、前記近接度及び前記語順度相互間の加重値を示す類似度評価加重値を適用することにより、前記類似度を評価することを特徴とする、請求項３０に記載の類似度を適用して文書検索サービスを提供するシステム。
【請求項３６】
前記類似度評価加重値の設定値は、前記ユーザの選択により設定されることを特徴とする、請求項３５に記載の類似度を適用して文書検索サービスを提供するシステム。
【請求項３７】
文書検索サービスを提供するプロセッサにおいて、
機械的読み出しが可能な記録媒体；及び、
前記記録媒体に保存され、機械的読み出しが可能なプログラムコードを備え、
前記プログラムコードは、
（ａ）前記サービスのユーザから一つ以上の検索キーワードが入力される段階；
（ｂ）前記検索キーワードによりデータベースに予め保存された文書を検索する段階；及び、
（ｃ）前記検索キーワードの入力により検索された前記文書に対し、前記検索キーワードの前記文書での出現頻度、前記検索キーワード間の近接度及び前記検索キーワード間の語順度のうち何れか一つ以上を測定することにより、前記検索キーワードとの類似度を評価する段階を含むことを特徴とする、類似度を適用して文書検索サービスを提供するプロセッサ。
【発明の詳細な説明】
【技術分野】
【０００１】
本発明は、類似度を適用した特許文書検索方法及びそのシステムに係り、より詳細には、特許文書検索サービスにおいて、検索キーワードの出現頻度、近接度及び語順度などの加重値により類似度を測定し、その測定された類似度の順により特許文書を検索する方法及びそのシステムに関する。
【背景技術】
【０００２】
近時、産業財産権の確保は、企業の競争力と密接な関連を持っている。先行特許権の存在を知らないまま予算を組んで開発した新製品が特許紛争に 巻き込まれ、高価のロイヤリティーにより経営に打撃を受け、さらに困難を伴って開発したその新技術を放棄しなければならない場合が発生し得る。
【０００３】
有効な産業財産権の確保の可否が事業の成敗を左右する、いわゆる“特許戦争の時代”に生きているものである。特許戦争の環境で企業が生存するには、有望製品に対する総合的な特許戦略の樹立が必要である。特許紛争の予防、及び関連核心技術の独自開発推進や特許回避設計によるロイヤリティーの節減などのような対策が切実に要求されている。
【０００４】
このために、関連技術に関する産業財産権の徹底した分析や、これに基づいた技術開発方向の決定が優先的に要求される。先行原特許権の存在の有無、原特許権の回避可能性及び競争会社の技術開発動向などに関する情報分析などが、その内容になり得る。
【０００５】
前述した通り、先行産業財産権、すなわち、先行特許の存在の有無を確認するには、先行特許に対する検索を遂行しなければならない。
【０００６】
ところが、一般の文書検索エンジンでは、先行特許に関する詳細な情報を得にくい。すなわち、先行特許の内容を含んでいる特許文書は、一般の文書とは異なる固有の特性を有する。そこで、出願日、出願人、登録の状況などを始めとした書誌事項、請求項、発明の詳細な説明、図面などの特許公報の内容を詳細に検索するために、特許文書検索を専門とするインターネットサイトで検索する方法が利用されている。
【０００７】
従来技術による先行特許検索は、検索者が、特許検索サービスを提供するインターネットサイト（例えば、http://www.kipris.or.kr、http://www.wips.co.kr）に接続した後、先行特許検索のための検索キーワードを入力すれば、特許公報の中で検索キーワードに関連した先行特許が検索され、検索者が所望する特許の基本書誌内容及び代表図面などを画面でスクロールしながら見られるように提供されている。
【０００８】
図１は、従来の特許検索サービスを提供するインターネットサイトの一つであるhttp://www.kipris.or.krにおける特許検索画面を示す図である。
【０００９】
前記サイトにおいて、検索したい特許文書に関連したキーワードを入力すれば、図１に示すように、検索キーワードに対して検索された特許文書の目録がユーザ画面に羅列される。ここで、検索された特許文書の目録は、出願番号、登録や取下げや拒絶などの状態、出願日又は発明の名称などの順に羅列されるようにユーザが選択し得る。
【００１０】
しかしながら、このように検索された特許文書の目録は、出願日、出願番号又は発明の名称などを、番号順又はアルファベット順に羅列したに過ぎない。よって、ユーザの検索したい特許文書の内容の類似度による特許文書の羅列には限界がある。したがって、ユーザは、検索された数多くの特許文書のうちで、自分が検索したい文書と最も類似した特許文書を選択するために、文書目録の一つ一つをクリックして詳細内容を検索しなければならなかった。
【００１１】
すなわち、特許文書を検索キーワードと内容の類似によって整列するものではなく、但し形式的な基準によって整列するため、特許文書の検索に多くの不便があり、長時間が所要される非効率的な検索方法であった。キーワードと関連して検索された特許文書が多ければ多いほど、一層の労力が必要とされ、より多くの不便が生じる。つまり、秒を争う特許戦争において、費用負担が増大すると共に、技術的競争にも遅れることになる。
【００１２】
図２は、従来の特許検索サービスを提供するインターネットサイトの一つであるwww.wips.co.krにおける特許検索画面を示す図である。
【００１３】
www.kipris.or.krと同様に、www.wips.co.krにおいても、キーワードを入力すれば、図２に示すように関連した特許文書の目録が表示される。しかしながら、これも、国、特許番号又は発明の名称などのような形式的事項によって特許文書を整列するだけで、キーワードとの類似度により目録を表示するものではない。
【００１４】
このように、従来の特許検索サービスでは、形式的事項によって特許文書を整列するだけで、内容の類似度によって目録を整列しない。よって、ユーザが類似度の高い特許文書を検索するために、目録全体をいちいち件別に確認しなければならない不便さと、時間及び費用の浪費を招くという問題点がある。
【００１５】
また、初心者の場合は、特許検索時、検索された先行特許目録だけでは所望の特許文書を検索しにくく、検索された先行特許が多いほど検索時間が長くなるという問題点がある。
【００１６】
勿論、特許文書でない一般文書の検索サービスを提供するインターネットサイト（例えば、http://www.naver.com等）でも、一般文書を類似度の順に整列する機能を持っているが、類似度の評価基準が細分化されず、ユーザが直接類似度の評価基準を設定出来ないという問題点がある。
【発明の開示】
【発明が解決しようとする課題】
【００１７】
前記問題点を解決するために、本発明の目的は、特許文書の検索時、検索キーワードを含むか否かによる単純羅列でない、検索キーワードとの類似度によって特許文書を整列することで、特許文書検索サービスのユーザが迅速且つ簡便に所望の特許文書を検索できる特許文書検索方法及びそのシステムを提供することにある。
【００１８】
また、本発明の他の目的は、特許文書でない一般文書の検索時でも、文書の類似度の評価基準を細分化し、ユーザが直接類似度の評価基準を設定できることで、より精巧で信頼性があり、ユーザ向きの検索が可能である文書検索方法及びそのシステムを提供することにある。
【課題を解決するための手段】
【００１９】
前記目的を達成するために、本発明は、特許公報の内容を含む特許文書を検索するサービス提供方法において、（ａ）前記サービスのユーザから一つ以上の検索キーワードが入力される段階；（ｂ）前記検索キーワードを用いてデータベースに予め保存された特許文書を検索する段階；及び、（ｃ）前記検索キーワードの入力により検索された前記特許文書に対し、前記検索キーワードの前記文書での出現頻度、前記検索キーワード間の近接度及び前記検索キーワード間の語順度のうち何れか一つ以上を測定することにより、前記検索キーワードとの類似度を評価する段階を含むことを特徴とする、類似度を適用して特許文書検索サービスを提供する方法が提供される。
【００２０】
また、本発明は、一般文書を検索するサービス提供方法において、（ａ）前記サービスのユーザから一つ以上の検索キーワードが入力される段階；（ｂ）前記検索キーワードによりデータベースに予め保存された一般文書を検索する段階；（ｃ）前記検索キーワードの入力により検索された前記一般文書に対し、前記検索キーワードの前記一般文書での出現頻度、前記検索キーワード間の近接度及び前記検索キーワード間の語順度のうち何れか一つ以上を測定することにより、前記検索キーワードとの類似度を評価する段階；及び、（ｄ）前記出現頻度、前記近接度、前記語順度及び前記類似度のうち何れか一つの項目の順序により前記特許文書を整列する段階を含むことを特徴とする、類似度を適用して一般文書検索サービスを提供する方法が提供される。
【００２１】
また、本発明は、文書を検索するサービス提供システムにおいて、前記サービスのユーザにより一つ以上の検索キーワードが入力されるキーワード入力部；前記文書の文書データを保存するデータベース部；前記検索キーワードにより前記データベース部に予め保存された前記文書を検索する文書検索部；及び、前記文書検索部により検索された前記文書に対し、前記検索キーワードの前記文書での出現頻度、前記検索キーワード間の近接度及び前記検索キーワード間の語順度のうち何れか一つ以上を測定することにより、前記検索キーワードとの類似度を評価する類似度評価部を含むことを特徴とする、類似度を適用して文書検索サービスを提供するシステムが提供される。
【００２２】
また、本発明のプロセッサは、機械的読み出しが可能な記録媒体と、記録媒体に保存され、機械的読み出しが可能なプログラムコードとを備える。
【００２３】
プログラムコードは、次の段階を含む。
（ａ）前記サービスのユーザから一つ以上の検索キーワードが入力される段階；（ｂ）前記検索キーワードによりデータベースに予め保存された文書を検索する段階；及び、（ｃ）前記検索キーワードの入力により検索された前記文書に対し、前記検索キーワードの前記文書での出現頻度、前記検索キーワード間の近接度及び前記検索キーワード間の語順度のうち何れか一つ以上を測定することにより、前記検索キーワードとの類似度を評価する段階。
【発明の効果】
【００２４】
前述したような類似度を適用して特許文書を検索する方法及びそのシステムによれば、特許文書の検索時、検索キーワードを含むか否かによる単純羅列でない、検索キーワードとの類似度によって整列することで、検索サービスのユーザが迅速且つ簡便に所望の特許文書を検索できる。
【００２５】
また、類似度の測定時、検索キーワードの出現頻度、近接度及び語順度などの色々な細部的な加重値を適用することで、より精巧で信頼性のある類似度を判断でき、このような加重値をユーザが直接設定／編集して測定できることで、ユーザ向きの検索サービスを提供できる。
【００２６】
また、検索のためのキーワードの入力時でも、以前に保存されたキーワードの目録を利用したり、アイコンを用いて検索組み合わせ式を構成することで、より容易且つ迅速に検索できる。
【発明を実施するための最良の形態】
【００２７】
以下、添付図面に基づき、本発明の好適な実施例を詳細に説明する。図において、同一の構成要素については出来るだけ同一の参照符号を使用する。また、本発明の説明において、本発明に関連した公知機能や構成についての具体的な説明が、本発明の要旨を不明瞭にすると判断される場合には、その詳細な説明を省略する。
【００２８】
図３は、本発明の実施例による類似度を適用した特許文書検索サービスの過程を示すフローチャートである。
【００２９】
特許文書検索サービスのユーザが、検索したい先行特許と関連した検索キーワードを入力すれば（Ｓ３００）、入力された検索キーワードを用いてデータベースに予め保存されている特許文書を検索する（Ｓ３０２）。
【００３０】
このとき、ユーザは、検索キーワードを一つ以上入力でき、複数の検索キーワードを組み合わせて一度に入力することで、検索キーワードの組み合わせを構成して入力することもできる。
【００３１】
一方、データベースには、予め特許文書に対する情報データプールが保存されていなければならないが、これは、一般の検索エンジンと同様である。本発明の実施例では、ユーザが特許文書ファイルをＭＤＢ形式のファイルとして保存したデータを利用できる。例えば、前述したwwww.wips.co.krにおいて、ユーザは、検索キーワードを用いて一次的に特許文書を検索すれば、検索された特許文書をＭＤＢファイル形式として保存できる。このように保存されたＭＤＢファイルを特許文書に対するデータベースの基礎として検索するものである。すなわち、wwww.wips.co.krを通して一次的に検索してＭＤＢファイル形式として保存した数多くの特許文書データも、本発明による特許文書のデータベースとして、本発明によって類似度を適用した特許検索が可能である。
【００３２】
入力された検索キーワードを用いて、検索キーワード又は検索キーワードの同意語を含む特許文書があるか否か特許文書のデータベースを確認し（Ｓ３０４）、検索キーワードと関連した特許文書が検索されると、検索された特許文書に対する類似度を評価する（Ｓ３０６）。
【００３３】
すなわち、検索キーワードを用いて検索された特許文書が、検索キーワードとどれくらい類似性を持つか、類似度を測定する。ここで、類似度の測定基準は多様な形態になり得るが、より詳細な内容は後述する。
【００３４】
検索された特許文書に対する類似度が評価されると、検索された特許文書を整列してユーザに表示する（Ｓ３０８）。
【００３５】
ここで、検索された特許文書を類似度の高い文書から低い文書の順に整列すると、ユーザは検索キーワードと最も類似した特許文書から簡便に把握できる。
【００３６】
一方、本発明の好適な実施例による検索された特許文書の類似度を評価する段階（Ｓ３０６）は、大きく３つの形態、すなわち、“出現頻度”、“近接度”、“語順度”の測定に進行する。
【００３７】
まず、“出現頻度”について説明すれば、次の通りである。ユーザにより入力された検索キーワードが検索された特許文書で発見される程度、すなわち、出現頻度を測定することにより、検索キーワードと特許文書との類似度を評価できる。したがって、検索された特許文書から検索キーワードが多く出現するほど、その特許文書の類似度がより高く評価される。これは、検索キーワードが多く出現されることで、その文書の核心キーワードとして関連内容がより多くて類似していることを統計的に表示する指標になり得るためである。
【００３８】
また、本発明の実施例によれば、出現頻度は、単純に検索キーワードの出現回数だけでない他の条件を付加することにより、一層細かく信頼性のある類似度を測定できる。
【００３９】
すなわち、本発明の好適な実施例によれば、検索キーワードの出現頻度に対して“キーワード加重値”、“欄別加重値”及び“文章数別加重値”などを適用できるが、各々についての詳細な説明は次の通りである。
【００４０】
“キーワード加重値”は、ユーザが入力した検索キーワード自体の加重値として、他の検索キーワードとの相対的な重要度を反映する値である。すなわち、ユーザが検索キーワードを二つ以上入力した場合、入力された検索キーワード間には、文書検索におけるキーワードとしての重要度が異なることがあり得るため、各キーワード別にキーワード加重値を適用する。したがって、同様にキーワードが１０回ずつ出現されても、上位概念か下位概念か、一般名詞か等によってそのキーワードの重要度が相対的に異なるため、キーワード加重値が相対的に高いキーワードが多く出現されるほどその特許文書の出現頻度を高く評価できる。
【００４１】
“欄別加重値”は、検索キーワードが文書のどの欄で発見されるかによってその重要度を異なるように適用する値である。本発明の実施例によれば、特許文書の検索は、３つの欄、例えば、発明の名称、要約、代表請求項からなるが、検索キーワードが同一の特許文書内で発見されても、文書の欄別にその重要度が異なることがあり得る。すなわち、同一の検索キーワードが出現しても、発明の名称部分で発見されるものが、要約部分で発見されるものより少し類似度が高いと判断され得る。したがって、欄別加重値が高い欄でキーワードが多く発見されるほどその特許文書の出現頻度を高く評価できる。
【００４２】
“文章数別加重値”は、検索された文書の文章数に比べてキーワードがどれくらい多くの文章で発見されるかを示す値である。検索された文書は、分野や内容によってその内容の量が異なることがあり得る。よって、同数のキーワードが出現しても、その文書の長さが短いほどそのキーワードの占有比重が相対的に大きいと判断され得る。本発明の実施例によれば、文書に記述された内容の量を全体の文の数で判断するが、検索キーワードがいくつの文に１回ずつ表示されるかを測定することにより、文章数加重値を測定できる。例えば、キーワードが、３文に１回ずつ表示される文書と５文に１回ずつ表示される文書とが発見された場合、それぞれの文書で同数のキーワードが出現されても、３文に１回ずつ表示される文書がより文章数別加重値が高くて出現頻度も高いと判断できる。
【００４３】
このように、検索キーワードの出現頻度に対して別途の加重値条件、すなわち、“キーワード加重値”、“欄別加重値”及び“文章数別加重値”などを適用して測定する場合、キーワードの出現頻度をより精巧で信頼性のあるように測定できる。
【００４４】
一方、前述したような出現頻度を測定するために用いられる別途の加重値は、ユーザがその加重値の設定値を任意に設定、解除及び変更できる。すなわち、“キーワード加重値”は各キーワードごとに、“欄別加重値”は所望の欄ごとに、“文章数別加重値”は発見される基準文章数によって、ユーザが相対的な値を決定するができる。
【００４５】
図４は、本発明の実施例による類似度を適用した特許文書検索サービスにおいて、出現頻度の測定に適用される加重値を設定する過程でユーザに提供される画面を示す図である。
【００４６】
ユーザが検索キーワードとして“ＳＥＡＲＣＨ”、“ＱＵＥＳＴＩＯＮ”、“ＥＮＧＩＮＥ”というキーワード又は同意語を入力した場合、それぞれのキーワードに対してキーワード加重値、欄別加重値及び文章数別加重値を設定、変更、解除できる。
【００４７】
また、ユーザは、出現頻度の測定に用いられるキーワード又は加重値設定値などのデータの保存及び呼び出し、又は編集も可能である。
【００４８】
一方、本発明の実施例による検索された特許文書の類似度を評価する段階（Ｓ３０６）は、前述した“出現頻度”の測定の他にも、検索キーワード間の“近接度”の測定により検索キーワードと特許文書との類似度を評価できる。
【００４９】
近接度は、入力された検索キーワードの数が二つ以上である場合に適用されるもので、各キーワードがどれくらい隣接して文書に存在するかを示す値である。すなわち、検索された文書において検索キーワードが互いに近く存在するほどその文書と検索キーワードとの相関関係が高いと評価できる。
【００５０】
近接度は、その測定時に細部条件を付加することにより一層細かく信頼性のある類似度を測定できる。本発明の好適な実施例によれば、検索キーワードの近接度に対して“キーワード・ペア加重値”及び“近接度別加重値”などを適用できる。
【００５１】
“キーワード・ペア加重値”は、ユーザが入力した検索キーワードのうち、二つ以上の検索キーワードからなるキーワード・ペア自体の加重値である。すなわち、ユーザは、入力した検索キーワードを組み合わせて色々なキーワード・ペアを構成できるが、このようなキーワード・ペアの他のキーワード・ペアに対する相対的な重要度を反映する値である。したがって、同数のキーワード・ペアが発見されても、キーワード・ペア加重値が高いキーワード・ペアが多く発見されるほどその文書の近接度及び類似度が高く評価される。
【００５２】
“近接度別加重値”は、キーワード・ペアを構成するキーワードが文書内でどれほど近接しているかを示す値である。
【００５３】
本発明の実施例によれば、近接度別加重値は、文書の文章数を単位として測定できる。すなわち、キーワード・ペアが同じ文内に存在すれば重要度が非常に高く、キーワード・ペアが発見される距離（文の数）が遠いほどその重要度が低くなる。キーワード間の近接度（例えば、同じ文〜１０文）によって重要度の値を段階的に設定できるが、本発明の好適な実施例によれば、キーワード・ペアのキーワードの近接度を次の通り６段階に区分して適用できる。すなわち、キーワード・ペアをなすキーワードが、同じ文章内にある場合の近接度別加重値は１．２、１〜２文内にある場合の近接程度別加重値は１．０、３〜４文内にある場合の近接程度別加重値は０．８、５〜６文内にある場合の近接程度別加重値は０．６、７〜８文内にある場合の近接程度別加重値は０．４、９〜１０文内にある場合の近接程度別加重値は０．２になるように加重値を設定できる。
【００５４】
図５は、本発明の実施例による類似度を適用した特許文書検索サービスにおいて、近接度の測定に適用される加重値を設定する過程でユーザに提供される画面を示す図である。
【００５５】
ユーザが入力したキーワードに対してキーワード・ペアが構成されると、図５に示すように、それぞれのキーワード・ペアに対してキーワード・ペア加重値及び近接度別加重値を設定できる。すなわち、ユーザが入力したキーワードのうち、“ＳＥＡＲＣＨ”及び“ＱＵＥＳＴＩＯＮ”をキーワード・ペアとして（ユーザがキーワード・ペア名を“近接度１”としたとする）、そのキーワード・ペア加重値を１として設定し、近接度別加重値を前述したように６段階に分けて、各々に対する加重値を設定したことを示す。また、“ＳＥＡＲＣＨ”、“ＱＵＥＳＴＩＯＮ”及び“ＥＮＧＩＮＥ”をキーワード・ペアとして（ユーザがキーワード・ペア名を“近接度２”としたとする）、同様にキーワード・ペア加重値及び近接度別加重値を設定したことを示す。
【００５６】
このとき、前述した出現頻度の測定で説明したそれぞれのキーワードに対するキーワード加重値、欄別加重値及び文章数別加重値は勿論、構成されたそれぞれのキーワード・ペアに対してキーワード・ペア加重値、近接度別加重値をユーザが設定、変更、解除できる。
【００５７】
また、近接度の測定に用いられたキーワード・ペア又はキーワード・ペア加重値、近接度別加重値の設定値などのデータを、ユーザが保存及び呼び出し、編集できる。
【００５８】
一方、本発明の実施例による検索された特許文書の類似度を評価する段階（Ｓ３０６）は、前述した“出現頻度”及び“近接度”の測定の他にも、検索キーワード間の“語順度”を測定することにより検索キーワードと特許文書との類似度を評価できる。
【００５９】
語順度は、近接度と同様に、入力された検索キーワードの数が二つ以上である場合に適用されるもので、各キーワードが文書の文章内で与えられた順序によって存在する程度を示す値である。例えば、検索された文書において、検索キーワードが一文内に現れた場合、与えられた条件順に出現するほどその文書と検索キーワードとの相関関係が高いと評価できる。
【００６０】
語順度は、その測定時に細部条件を付加することにより一層細かく信頼性のある類似度を測定できる。本発明の好適な実施例によれば、検索キーワードの語順度に対して“語順キーワード・ペア加重値”及び“語順度別加重値”などを適用できる。
【００６１】
“語順キーワード・ペア加重値”は、前述の近接度の測定で説明した“キーワード・ペア加重値”と同様に、入力された検索キーワードのうちで、語順度を測定するために必要な二つ以上の検索キーワードからなるキーワード・ペア自体の加重値である。すなわち、ユーザは、語順度の測定のために入力した検索キーワードを組み合わせて色々なキーワード・ペアを構成できるが、このようなキーワード・ペアの他のキーワード・ペアに対する相対的な重要度を反映する値である。
【００６２】
“語順度別加重値”は、キーワード・ペアに含まれるキーワードが文章内で所定の順序によって存在する程度を示す値である。
【００６３】
本発明の実施例によれば、語順度別加重値は、語順キーワード・ペアに含まれるキーワードが文書内のある一文中に存在する場合、キーワードが存在する順序、すなわち、語順形態によって加重値をおいて測定できる。すなわち、キーワードがキーワード・ペア中に所定の順で存在すればその重要度が非常に高く、順序が異なればその重要度は低い。これは、同数のキーワードが発見されても、文書に存在するキーワードの組み合わせ順序によってその重要度が異なり得るためである。
【００６４】
本発明の好適な実施例によれば、キーワード・ペアの語順度を、キーワード・ペア中に存在するキーワードの数により、次の通り２段階又は６段階に区分して適用できる。すなわち、キーワード・ペアをなすキーワードが二つである場合は、（ａ、ｂ）、（ｂ、ａ）の語順形態で存在する場合の各々に対してそれぞれ加重値を異なるように適用でき、三つである場合は、（ａ、ｂ、ｃ）（ａ、ｃ、ｂ）、（ｂ、ｃ、ａ）、（ｂ、ａ、ｃ）、（ｃ、ａ、ｂ）、（ｃ、ｂ、ａ）の語順形態で存在する場合の各々に対してそれぞれ加重値を異なるように適用できる。
【００６５】
図６は、本発明の実施例による類似度を適用した特許文書検索サービスにおいて、語順度の測定に適用される加重値を設定する過程でユーザに提供される画面を示す図である。
【００６６】
ユーザが入力したキーワードに対してキーワード・ペアが構成されると、図６に示すように、それぞれのキーワード・ペアに対して語順キーワード・ペア加重値及び語順度別加重値を設定できる。すなわち、ユーザが入力したキーワードのうち、“ＳＥＡＲＣＨ”及び“ＱＵＥＳＴＩＯＮ”をキーワード・ペアとして（ユーザがキーワード・ペア名を“語順１”としたとする）、その語順キーワード・ペア加重値を１に設定し、語順度別加重値を前述したように２段階に分けて各々に対する加重値を設定したことを示す。また、“ＳＥＡＲＣＨ”、“ＱＵＥＳＴＩＯＮ”及び“ＥＮＧＩＮＥ”をキーワード・ペアとして（ユーザがキーワード・ペア名を“語順２”としたとする）、同様に語順キーワード・ペア加重値及び語順度別加重値を設定したことを示す。
【００６７】
このとき、前述した出現頻度及び近接度の測定で説明したそれぞれのキーワードに対するキーワード加重値、欄別加重値及び文章数別加重値は勿論、構成されたそれぞれのキーワード・ペアに対して語順キーワード・ペア加重値、語順度別加重値をユーザが設定、変更、解除できる。
【００６８】
また、語順度の測定に用いられた語順キーワード・ペア又は語順キーワード・ペア加重値、語順度別加重値の設定値などのデータを、ユーザが保存及び呼び出し、編集できる。
【００６９】
このように、検索された特許文書の類似度を評価する段階（Ｓ３０６）は、“出現頻度”、“近接度”及び“語順度”を測定することにより、検索キーワードと特許文書との類似度をより細かく正確に評価できる。
【００７０】
また、このような“出現頻度”、“近接度”及び“語順度”は、ユーザの選択により測定を設定又は解除できる。すなわち、ユーザが類似度の測定のために適用したい項目を任意に選択して測定できる。例えば、“出現頻度”及び“近接度”だけを測定して類似度を評価したい場合は、“出現頻度”及び“近接度”の測定を設定し、“語順度”の測定を解除すればよい。また、“語順度”だけ適用したい場合は、“語順度”の測定を設定し、“出現頻度”及び“近接度”の測定を解除すればよい。
【００７１】
図７は、本発明の実施例による類似度を適用した特許文書検索サービスにおいて、類似度の測定に適用される項目相互間の加重値を設定する過程でユーザに提供される画面を示す図である。
【００７２】
前述したように、検索された文書の類似度の評価に用いられる項目の例として“出現頻度”、“近接度”及び“語順度”の測定が挙げられる。本発明の好適な実施例によれば、このような類似度の測定に適用されるそれぞれの項目に対しても、各項目間の相対的な重要度を示す“類似度評価加重値”を適用できる。
【００７３】
すなわち、類似度評価加重値は、類似度の測定時に適用される項目が二つ以上の場合に適用されるもので、図７に示すように、類似度測定時に適用される項目相互間の重要度を設定することにより、最終の類似度測定時に各項目の評価値が反映される比率を決定できる。類似度評価加重値もユーザの選択により任意に設定できる。例えば、類似度評価時、近接度が他の項目よりも重要であると判断されれば、近接度の項目について加重値を高く設定すればよい。また、 ユーザは、類似度評価加重値の設定値を保存及呼び出し、編集できる。
【００７４】
図８は、本発明の実施例による類似度を適用した特許文書検索サービスにおいて、検索された文書に類似度を評価した結果として、キーワードの出現数に基づいて整列してユーザに提供される画面を示す図である。
【００７５】
検索された文書は、評価された類似度値又は類似度評価時に適用された加重値、すなわち、出現頻度、近接度及び語順度と共に表示される。図８ではキーワードの出現数に基づいて類似度の高い順に整列されたものを示すが、それぞれの項目別に、すなわち、類似度、出現頻度、近接度又は語順度別にユーザが選択して何れか一つの項目順に整列できる。
【００７６】
また、図８に示すように、類似度測定の最終結果だけでなく、類似度測定時に適用される中間測定作業（出現頻度、近接度、語順度の測定など）に対する中間結果も、それぞれの測定作業が完了すれば、ユーザはその結果を照会できる。また、このような最終の類似度評価結果も、ユーザが保存及び呼び出し、編集できる。
【００７７】
このように検索された文書を類似度順に整列することにより、ユーザが検索したい文書を容易且つ迅速に検索できる。
【００７８】
図９は、本発明の実施例による類似度を適用した特許文書検索サービスにおいて、類似度を評価した結果としてキーワードの順序に基づいて整列してユーザに提供される画面を示す図である。
【００７９】
図９に示すように、キーワードをＫ１、Ｋ２、Ｋ３として登録した場合、各キーワードが出現する順序に基づいて類度が高い順に整列できる。すなわち、Ｋ１、Ｋ２の順にキーワードが出現した文書に対して類似度順に整列し、Ｋ１、Ｋ３の順にキーワードが出現した文書に対して、又はＫ２、Ｋ３の順にキーワードが出現した文書に対して、類似度順に整列できる。
【００８０】
このように、検索された文書の類似度を評価して整列する段階は、多様に実現され得る。
【００８１】
一方、図８及び図９に示すように、類似度評価の結果を示す画面には、ユーザが検索された特許文書を識別できるように、各文書別に識別情報が共に表示される。すなわち、評価された出現頻度、近接度、語順度、類似度測定値と共に、発明の名称又は出願番号、出願日、登録状況、出願人、文書番号などの文書識別情報が表示されることで、ユーザが一目で基本的事項を把握できる。
【００８２】
図１０は、本発明の実施例による類似度を適用した特許文書検索サービスにおいて、類似度が評価された後に文書の詳細情報がユーザに提供される画面を示す図である。
【００８３】
本発明の実施例によって文書を検索し、図８又は図９のような類似度評価の結果が表示されれば、ユーザは、所望の文書の詳細な情報を照会するために特定文書を選択できる。例えば、結果目録から照会したい文書を選択してダブルクリックをする方式で照会できる。そのように文書を選択すれば、図１０に示すように選択された文書の詳細内容が表示される。図１０では、文書番号、特許ステータス、出願国、出願人、出願日、出願番号、公開日、公開番号、公告情報、登録日、登録番号、発明の名称、要約、代表請求項などが表示されるが、この他にも従来技術、発明の詳細な説明、発明の効果、請求範囲、図面などの情報もユーザが確認できる。
【００８４】
また、図１０に示すように、出現頻度検索キーワードや近接度キーワード・ペアや語順度キーワード・ペアなどのキーワードに対する情報をカラー別に表示したり、キーワード目録と共に表示してユーザの便宜を図ることができる。
【００８５】
図１１は、本発明の実施例による類似度を適用した特許文書検索サービスにおいて、検索キーワードを組み合わせて入力する過程でユーザに提供される画面を示す図である。
【００８６】
一般の検索サービスとは異なり、本発明の実施例による類似度を適用した特許文書検索サービスでは、ユーザが入力したいキーワードを予め保存したキーワード目録で選択でき、色々なキーワードを組み合わせて入力する場合に、組み合わせ条件式をいちいちキーボードに入力することなく、組み合わせ条件式に該当するアイコンをクリックすることにより、容易且つ迅速に検索式の組み合わせを構成できる。
【００８７】
以上、本発明の実施例を特許文書に対して適用されるものとして説明したが、本発明はこれに限定されず、一般文書に対しても十分に適用できる。すなわち、特許文書が一般文書とは異なる独特の性格を持っているため、一般文書と区別して特許文書に対する検索を説明したものであり、より包括的な概念である一般文書の検索においても、類似度及び出現頻度、近接度、語順度などを測定することにより、効率よく検索できるように本発明を適用できる。
【００８８】
図１２は、本発明の実施例による類似度を適用して文書検索サービスを提供するシステムの構成を示すブロック図である。
【００８９】
類似度を適用して文書検索サービスを提供するシステム１２００は、キーワード入力部１２０２、データベース部１２０４、文書検索部１２０６及び類似度評価部１２０８を含む。
【００９０】
キーワード入力部１２０２は、検索サービスのユーザにより一つ以上のキーワードが入力される機能を実行する。キーワード入力部１２０２は、ユーザが入力したいキーワードを予め保存したキーワード目録から選択して入力でき、色々なキーワードを組み合わせる場合、組み合わせ条件式に該当するアイコンをクリックすることにより検索式の組み合わせが構成されて、キーワード組み合わせが入力できる。
【００９１】
データベース部１２０４は、文書に関するデータを保存する機能を実行する。データベース部１２０４には、予め文書に関する情報データプールが保存されていなければならない。一方、本発明の実施例として、前述したように、データベース部１２０４には、ＭＤＢ形式のファイルとして作成された文書データが保存され得る。
【００９２】
文書検索部１２０６は、キーワード入力部１２０２に入力された検索キーワードを用いて、データベース部１２０４に保存されている文書を検索する機能を実行する。すなわち、入力された検索キーワードとして検索キーワード又は検索キーワードの同意語を含む文書がデータベース部１２０４にあるか否かを確認する。
【００９３】
類似度評価部１２０８は、文書検索部１２０６により検索された文書に対して類似度を評価する機能を実行する。類似度は、前述したような出現頻度、近接度及び語順度の測定により評価されるが、出現頻度、近接度及び語順度の各々に対して細部加重値を適用して測定できる。すなわち、前述したように、出現頻度に対してはキーワード加重値、欄別加重値及び文章数別加重値のうち何れか一つ以上が適用され、近接度に対してはキーワード・ペア加重値及び近接度別加重値のうち何れか一つ以上が適用され、語順度に対しては語順キーワード・ペア加重値及び語順度別加重値のうち何れか一つ以上が適用される。また、出現頻度、近接度及び語順度相互間の加重値を示す類似度評価加重値が適用され、ユーザの便宜によって細部加重値又は類似度評価加重値の設定値が任意に設定される。
【００９４】
この他にも、類似度を適用して文書検索サービスを提供するシステム１２００には、図３〜図１１で説明した文書検索サービスの特徴が含まれることを、本発明が属する技術分野における通常の知識を有する者であれば、十分に理解できるはずである。
【００９５】
一方、文書整列部１２１０は、類似度評価部１２０８により類似度が評価された文書を、評価された類似度の順序によって整列する機能を行う。また、前述したように、それぞれの項目別に、すなわち、出現頻度、近接度又は語順度別にユーザの選択により何れか一つの項目順に整列できる。
【００９６】
なお、本発明の詳細な説明では具体的な実施の形態について説明したが、本発明の要旨から逸脱しない範囲内で多様に変形できる。よって、本発明の範囲は説明された実施の形態に限るものではなく、特許請求の範囲だけでなくその均等物等により定めなければならない。
【産業上の利用可能性】
【００９７】
前述したような類似度を適用して特許文書を検索する方法及びそのシステムによれば、膨大な特許文書をユーザが迅速且つ簡便に検索できるため、産業技術開発時に特許文献の効果的な利用が可能であり、特許紛争時に特許権の権利有効性可否を迅速に判断できる資料提供が可能である。
【図面の簡単な説明】
【００９８】
【図１】従来の特許検索サービスを提供するインターネットサイトの一つであるhttp://www.kipris.or.krにおける特許検索画面を示す図である。
【図２】従来の特許検索サービスを提供するインターネットサイトの一つであるwww.wips.co.krにおける特許検索画面を示す図である。
【図３】本発明の実施例による類似度を適用した特許文書検索サービスの過程を示すフローチャートである。
【図４】本発明の実施例による出現頻度の測定に適用される加重値を設定する過程でユーザに提供される画面を示す図である。
【図５】本発明の実施例による語順度の測定に適用される加重値を設定する過程でユーザに提供される画面を示す図である。
【図６】本発明の実施例による語順度の測定に適用される加重値を設定する過程でユーザに提供される画面を示す図である。
【図７】本発明の実施例による類似度を適用した特許文書検索サービスにおいて、類似度の測定に適用される項目相互間の加重値を設定する過程でユーザに提供される画面を示す図である。
【図８】本発明の実施例による類似度を平価した結果として、キーワードの出現数に基づいて整列してユーザに提供される画面を示す図である。
【図９】本発明の実施例による類似度を評価した結果としてキーワードの順序に基づいて整列してユーザに提供される画面を示す図である。
【図１０】本発明の実施例による類似度が評価された後に文書の詳細情報がユーザに提供される画面を示す図である。
【図１１】本発明の実施例による類似度を適用した特許文書検索サービスにおいて、検索キーワードを組み合わせて入力する過程でユーザに提供される画面を示す図である。
【図１２】本発明の実施例による類似度を適用して文書検索サービスを提供するシステムの構成を示すブロック図である。
【符号の説明】
【００９９】
Ｓ３００  検索キーワード入力
Ｓ３０２  特許文書検索
Ｓ３０４  関連特許文書が検索されたか
Ｓ３０６  検索キーワードとの類似度評価（出現頻度／近接度／語順度の測定）
Ｓ３０８  検索された特許文書整列
【図１】
2009515249.tif 000003
【図２】
2009515249.tif 000004
【図３】
2009515249.tif 000005
【図４】
2009515249.tif 000006
【図５】
2009515249.tif 000007
【図６】
2009515249.tif 000008
【図７】
2009515249.tif 000009
【図８】
2009515249.tif 000010
【図９】
2009515249.tif 000011
【図１０】
2009515249.tif 000012
【図１１】
2009515249.tif 000013
【図１２】
2009515249.tif 000014
【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
特許公報の内容を含む特許文書を検索するサービス提供方法において、
（ａ）前記サービスのユーザから一つ以上の検索キーワードが入力される段階；
（ｂ）前記検索キーワードを用いてデータベースに予め保存された特許文書を検索する段階；及び、
（ｃ）前記検索キーワードの入力により検索された前記特許文書に対し、前記検索キーワードの前記文書での出現頻度、前記検索キーワード間の近接度及び前記検索キーワード間の語順度のうち何れか一つ以上を測定することにより、前記検索キーワードとの類似度を評価する段階を含むことを特徴とする、類似度を適用して特許文書検索サービスを提供する方法。
【請求項２】
前記出現頻度は、前記出現頻度に対する別途の加重値を適用することにより測定されることを特徴とする、請求項１に記載の類似度を適用して特許文書検索サービスを提供する方法。
【請求項３】
前記出現頻度に対する前記別途の加重値は、入力された前記検索キーワード自体のキーワード加重値、前記特許文書の欄別加重値及び前記検索キーワードが発見された前記特許文書の文章数別加重値のうち何れか一つ以上を含むことを特徴とする、請求項２に記載の類似度を適用して特許文書検索サービスを提供する方法。
【請求項４】
前記欄別加重値は、前記特許文書内で、発明の名称、要約及び代表請求項のうち二つ以上の欄に対する加重値であることを特徴とする、請求項３に記載の類似度を適用して特許文書検索サービスを提供する方法。
【請求項５】
前記出現頻度に対する前記別途の加重値の設定値は、前記ユーザの選択により設定されることを特徴とする、請求項２に記載の類似度を適用して特許文書検索サービスを提供する方法。
【請求項６】
前記近接度は、前記検索キーワードからなるキーワード・ペアの相互間の加重値を示すキーワード・ペア加重値及び前記キーワード・ペアの各キーワードの相互間の近接度を示す近接度別加重値のうち何れか一つ以上を適用して測定されることを特徴とする、請求項１に記載の類似度を適用して特許文書検索サービスを提供する方法。
【請求項７】
前記近接度別加重値は、前記近接度を前記特許文書の文単位で測定することを特徴とする、請求項６に記載の類似度を適用して特許文書検索サービスを提供する方法。
【請求項８】
前記キーワード・ペア加重値及び前記近接度別加重値の設定値は、前記ユーザの選択により設定されることを特徴とする、請求項６に記載の類似度を適用して特許文書検索サービスを提供する方法。
【請求項９】
前記語順度は、前記検索キーワードからなるキーワード・ペア相互間の加重値を示す語順キーワード・ペア加重値及び前記キーワード・ペアの各キーワードの相互間の語順形態による語順度別加重値のうち何れか一つ以上を適用して測定されることを特徴とする、請求項１に記載の類似度を適用して特許文書検索サービスを提供する方法。
【請求項１０】
前記語順キーワード・ペア加重値及び前記語順度別加重値の設定値は、前記ユーザの選択により設定されることを特徴とする、請求項９に記載の類似度を適用して特許文書検索サービスを提供する方法。
【請求項１１】
前記出現頻度、前記近接度及び前記語順度は、前記ユーザの選択により測定が設定又は解除されることを特徴とする、請求項１に記載の類似度を適用して特許文書検索サービスを提供する方法。
【請求項１２】
前記類似度は、前記出現頻度、前記近接度及び前記語順度相互間の加重値を示す類似度評価加重値を適用することにより評価されることを特徴とする、 請求項１に記載の類似度を適用して特許文書検索サービスを提供する方法。
【請求項１３】
前記類似度評価加重値の設定値は、前記ユーザの選択により設定されることを特徴とする、請求項１２に記載の類似度を適用して特許文書検索サービスを提供する方法。
【請求項１４】
前記検索キーワードは、前記検索キーワードの同意語を含むことを特徴とする、請求項１に記載の類似度を適用して特許文書検索サービスを提供する方法。
【請求項１５】
前記段階（ａ）において、前記検索キーワードは前記検索キーワードの組み合わせを構成して入力され、前記検索キーワードを組み合わせるための組み合わせ式がアイコンを用いて前記ユーザに表示され、前記ユーザの選択により前記アイコンが設定されることを特徴とする、請求項１に記載の類似度を適用して特許文書検索サービスを提供する方法。
【請求項１６】
前記段階（ｃ）において、前記類似度の評価結果又は前記類似度を評価するために用いられるデータは、前記ユーザの選択により保存／呼び出し又は編集されることを特徴とする、請求項１に記載の類似度を適用して特許文書検索サービスを提供する方法。
【請求項１７】
前記類似度を評価するために用いられるデータは、前記検索キーワードと、前記検索キーワードからなるキーワード・ペアと、前記類似度評価に適用される加重値についての情報とを含むことを特徴とする、請求項１６に記載の類似度を適用して特許文書検索サービスを提供する方法。
【請求項１８】
（ｄ）前記出現頻度、前記近接度、前記語順度及び前記類似度のうち何れか一つの項目の順序により、前記特許文書を整列する段階をさらに含むことを特徴とする、請求項１に記載の類似度を適用して特許文書検索サービスを提供する方法。
【請求項１９】
前記段階（ｄ）において、前記特許文書を、前記ユーザが前記特許文書を識別するようにするための識別情報、または、測定された前記出現頻度、前記近接度、前記語順度及び前記類似度のうち何れか一つ以上の測定値と共に整列することを特徴とする、請求項１８に記載の類似度を適用して特許文書検索サービスを提供する方法。
【請求項２０】
前記識別情報は、発明の名称、出願番号、出願日、登録状況、出願人のうち何れか一つ以上を含むことを特徴とする、請求項１９に記載の類似度を適用して特許文書検索サービスを提供する方法。
【請求項２１】
（ｅ）前記ユーザの選択により整列された前記特許文書の詳細情報を提供する段階をさらに含むことを特徴とする、請求項１８に記載の類似度を適用して特許文書検索サービスを提供する方法。
【請求項２２】
前記詳細情報は、発明の名称、要約、発明の詳細な説明、代表請求項、図面のうち何れか一つ以上を含むことを特徴とする、請求項２１に記載の類似度を適用して特許文書検索サービスを提供する方法。
【請求項２３】
文書を検索するサービス提供システムにおいて、
前記サービスのユーザにより一つ以上の検索キーワードが入力されるキーワード入力部；
前記文書の文書データを保存するデータベース部；
前記検索キーワードにより前記データベース部に予め保存された前記文書を検索する文書検索部；及び、
前記文書検索部により検索された前記文書に対し、前記検索キーワードの前記文書での出現頻度、前記検索キーワード間の近接度及び前記検索キーワード間の語順度のうち何れか一つ以上を測定することにより、前記検索キーワードとの類似度を評価する類似度評価部を含むことを特徴とする、類似度を適用して文書検索サービスを提供するシステム。
【請求項２４】
前記キーワード入力部は前記検索キーワードを前記検索キーワードの組み合わせとして入力するよう構成され、前記検索キーワードを組み合わせるための組み合わせ式はアイコンを用いて前記ユーザに表示され、前記アイコンは前記ユーザの選択により設定されることを特徴とする、請求項２３に記載の類似度を適用して文書検索サービスを提供するシステム。
【請求項２５】
前記類似度評価部は、前記出現頻度、前記近接度及び前記語順度のうち何れか一つ以上の項目に対する細部加重値を適用することにより、前記類似度を評価することを特徴とする、請求項２３に記載の類似度を適用して文書検索サービスを提供するシステム。
【請求項２６】
前記細部加重値は、前記出現頻度に対してはキーワード加重値、欄別加重値及び文章数別加重値のうち何れか一つ以上であり、前記近接度に対してはキーワード・ペア加重値及び近接度別加重値のうち何れか一つ以上であり、前記語順度に対しては語順キーワード・ペア加重値及び語順度別加重値のうち何れか一つ以上であることを特徴とする、請求項２５に記載の類似度を適用して文書検索サービスを提供するシステム。
【請求項２７】
前記細部加重値の設定値は、前記ユーザの選択により設定されることを特徴とする、請求項２５に記載の類似度を適用して文書検索サービスを提供するシステム。
【請求項２８】
前記類似度評価部は、前記出現頻度、前記近接度及び前記語順度相互間の加重値を示す類似度評価加重値を適用することにより、前記類似度を評価することを特徴とする、請求項２３に記載の類似度を適用して文書検索サービスを提供するシステム。
【請求項２９】
前記類似度評価加重値の設定値は、前記ユーザの選択により設定されることを特徴とする、請求項２８に記載の類似度を適用して文書検索サービスを提供するシステム。
【請求項３０】
文書検索サービスを提供するプロセッサにおいて、
機械的読み出しが可能な記録媒体；及び、
前記記録媒体に保存され、機械的読み出しが可能なプログラムコードを備え、
前記プログラムコードは、
（ａ）前記サービスのユーザから一つ以上の検索キーワードが入力される段階；
（ｂ）前記検索キーワードによりデータベースに予め保存された文書を検索する段階；及び、
（ｃ）前記検索キーワードの入力により検索された前記文書に対し、前記検索キーワードの前記文書での出現頻度、前記検索キーワード間の近接度及び前記検索キーワード間の語順度のうち何れか一つ以上を測定することにより、前記検索キーワードとの類似度を評価する段階を含むことを特徴とする、類似度を適用して文書検索サービスを提供するプロセッサ。
【国際調査報告】
2009515249.tif 000015
2009515249.tif 000016